(57)【特許請求の範囲】
【請求項１】
リレー受信サブフレームについての情報を取得するステップと、
前記リレー受信サブフレームがＭＢＳＦＮ（Ｍｕｌｔｉｃａｓｔ  Ｂｒｏａｄｃａｓｔ
Ｓｉｎｇｌｅ  Ｆｒｅｑｕｅｎｃｙ  Ｎｅｔｗｏｒｋ）サブフレームであることをリレーが端末にシグナリングするステップと、
前記リレー受信サブフレームの間に、基地局からデータを受信するステップと、を含み、
前記リレー受信サブフレームは、前記リレーがリファレンス信号または制御信号を前記端末に送信するための第１区間と、前記基地局からデータを受信するための第２区間と、を含み、
前記リレーは、前記第１区間において、前記端末に、（１）前記リファレンス信号もしくは前記制御信号を送信しない、（２）１つのリファレンス信号もしくは１つの制御信号を送信する、または（３）２つのリファレンス信号もしくは２つの制御信号を送信する、のいずれかの動作を行う、リレーにおけるデータリレー方法。
【請求項２】
前記リレー受信サブフレームは、前記基地局によって設定される、請求項１に記載の方法。
【請求項３】
前記リレー受信サブフレームは、前記リレーによって、または前記基地局と前記リレーとの間の連携によって、設定される、請求項１に記載の方法。
【請求項４】
基地局からリレーへの送信のために、リレー受信サブフレームを設定するステップと、
前記リレー受信サブフレームについての情報を、前記リレーに送信するステップと、
前記リレー受信サブフレームの間に、前記リレーにデータを送信するステップと、を備え、
前記リレー受信サブフレームが、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームであることが、前記リレーにより端末にシグナリングされて、
前記リレー受信サブフレームは、前記リレーがリファレンス信号または制御信号を前記端末に送信するための第１区間と、前記リレーが前記基地局からデータを受信するための第２区間と、を含み、
前記端末は、前記第１区間において、前記リレーから、（１）前記リファレンス信号もしくは前記制御信号を受信しない、（２）１つのリファレンス信号もしくは１つの制御信号を受信する、または（３）２つのリファレンス信号もしくは２つの制御信号を受信する、のいずれかの動作を行う、基地局におけるデータ送信方法。
【請求項５】
リレーからデータを受信するステップと、
リレー受信サブフレームの間に、前記リレーから、リファレンス信号または制御信号を受信するステップと、を備え、  
前記リレー受信サブフレームが、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームであることが、前記リレーにより端末にシグナリングされて、 
前記リレー受信サブフレームは、前記リレーが前記リファレンス信号または制御信号を前記端末に送信するための第１区間と、前記リレーが前記基地局から前記データを受信するための第２区間と、を含み、
前記端末は、前記第１区間において、前記リレーから、（１）前記リファレンス信号もしくは前記制御信号を受信しない、（２）１つのリファレンス信号もしくは１つの制御信号を受信する、または（３）２つのリファレンス信号もしくは２つの制御信号を受信する、のいずれかの動作を行う、端末におけるデータ受信方法。
【発明の詳細な説明】
【技術分野】
【０００１】
本発明の実施形態は、リレーを用いる無線通信システムで基地局およびリレーリンクを効率的に構成する装置および方法に関する。特に、リレーを考慮せずに設計されたシステムの端末（ｌｅｇａｃｙ  ＵＥ）をリレーが効果的にサービスを提供できるようにする装置および方法を提示する。
【背景技術】
【０００２】
リレーは、移動および無線通信網のセル領域（ｃｏｖｅｒａｇｅ）を拡張し、または処理量を極めて効果的に向上させ得る技術として認識されている。また、リレーはバックホール（ｂａｃｋｈａｕｌ）を無線で構成することによって、初期投資および運用費用を節減させるという効果的な方案であると認識されている。
【０００３】
リレーを用いる無線および移動通信システムは、基本的に６種類のタイプの無線リンクが必要である。６種類のタイプの無線リンクは、基地局からリレーに送信する無線リンク（ｅＮＢ−Ｒ）、基地局から端末に送信する無線リンク（ｅＮＢ−ＵＥ）、リレーから基地局に送信する無線リンク（Ｒ−ｅＮＢ）、リレーから端末に送信する無線リンク（Ｒ−ＵＥ）、端末から基地局に送信する無線リンク（ＵＥ−ｅＮＢ）、端末からリレーに送信する無線リンク（ＵＥ−Ｒ）などである。
【０００４】
現在、３ＧＰＰ  ＬＴＥ（Ｌｏｎｇ  Ｔｅｒｍ  Ｅｖｏｌｕｔｉｏｎ）Ｒｅｌ−８システムでは、下りリンクの全てのサブフレームにセル固有のリファレンス信号（ｒｅｆｅｒｅｎｃｅ  ｓｉｇｎａｌと、ＲＳ）を送信することになっている。ＬＴＥ  Ｒｅｌ−８端末は、これを用いてチャネルの品質を測定して基地局に報告する。また、ＬＴＥ  Ｒｅｌ−８端末は、データを復調するためにセル固有のリファレンス信号を用いてチャネル推定をするために用いられる。
【０００５】
ＬＴＥ  Ｒｅｌ−８フレーム構造は、ＬＴＥ  Ｒｅｌ−８端末をリレーでサービスを提供しようとする場合、次のようなＬＴＥ  Ｒｅｌ−８端末の動作に問題が生じ得る。リレーを考慮しなかった既存のＬＴＥ  Ｒｅｌ−８端末（ｌｅｇａｃｙ  ＵＥ）は、全てのフレームにセル固有のリファレンス信号が存在すると判断する。しかし、基地局からリレーにデータを送信する無線リンク（ｅＮＢ−Ｒ）の区間において、リレーは、基地局からデータを受信することによってリレーはいかなる信号も送信しない。このようにリレーが特定のサブフレームでセル固有のリファレンス信号を送信しなければ、リレーからサービスを受けていた端末は基地局が消えてしまう現象を体験する。
【０００６】
したがって、基地局からリレーにデータを送信する無線リンク（ｅＮＢ−Ｒ）の区間において、端末は自分がサービスを受けているリレー基地局の無線品質が悪くないにもかかわらず良いものと判断することがある。また、端末は、他のセルに不要なハンドアーバーを要求することがあり、端末からリレー基地局に報告する無線チャネルのＣＱＩ値が正確ではない恐れがある。また、チャネル推定が正確ではないため、データの復調エラーが増加してしまう恐れがある。
【発明の概要】
【発明が解決しようとする課題】
【０００７】
本発明の実施形態は、リレーを用いる無線通信システムにおいて、リレーを考慮せずに設計された既存の端末に対してリレーを介してサービスを提供する装置および方法を提供することにある。
【０００８】
本発明の実施形態は、基地局からリレーにデータを送信する無線リンク区間が存在する場合、リレーのセル領域内の端末が無線チャネルを効果的に測定することのできるデータ送受信装置および方法を提供することにある。
【課題を解決するための手段】
【０００９】
本発明の実施形態に係るリレーのデータ送受信装置は、リレー受信サブフレームを設定するサブフレーム設定部と、設定された前記リレー受信サブフレームがＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームであることを端末にシグナリングするシグナリング部と、現在のサブフレームが前記リレー受信サブフレームであれば、前記リレー受信サブフレームの既設定区間の間にセル固有のリファレンス信号または制御信号を端末に送信し、前記受信サブフレームの残り区間の間に基地局から基地局の信号を受信する送受信部と、を備える。
【００１０】
ここで、受信サブフレーム内にセル固有のリファレンス信号および制御信号を送信する既設定区間の大きさが０であれば、すなわち、受信フレームでセル固有のリファレンス信号および制御信号を全く送信しないことも含む。
【００１１】
本発明の一実施形態に係る基地局のデータ送受信装置は、リレー受信サブフレームを決定してリレーに前記リレー受信サブフレーム情報をシグナリングし、または前記リレーで決定されたリレー受信サブフレーム情報を前記リレーからシグナリングされるサブフレーム設定部と、現在のサブフレームが前記リレー受信サブフレームである場合、予め設定された区間の間に前記リレーに信号を送信せず、残り区間の間に基地局の送信信号を前記リレーに送信する送信部とを備える。
【００１２】
本発明の一実施形態に係る端末装置は、無線チャネル品質（ＣＱＩ）を測定するとき、ブランクサブフレームを、前記無線チャネル品質（ＣＱＩ）を測定するための有効サブフレームとして見なさない。
【００１３】
本発明の一実施形態に係るリレーのデータ送受信方法は、リレー受信サブフレームを設定するステップと、設定された前記リレー受信サブフレームがＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームであることを端末にシグナリングするステップと、現在のサブフレームが前記リレー受信サブフレームであれば、前記リレー受信サブフレームの既設定区間の間にセル固有のリファレンス信号または制御信号を端末に送信するステップと、前記リレー受信サブフレームの残り区間の間に基地局から基地局の信号を受信するステップと、を含む。
【００１４】
ここで、受信サブフレーム内にセル固有のリファレンス信号および制御信号を送信する既設定区間の大きさが０であれば、すなわち、受信フレームでセル固有のリファレンス信号および制御信号を全く送信しないことも含む。
【００１５】
本発明の一実施形態に係る基地局のデータ送受信方法は、リレー受信サブフレームを設定するステップと、現在のサブフレームが前記リレー受信サブフレームであれば、前記リレー受信サブフレームの既設定区間の間にリレーにデータを送信せず、前記リレー受信サブフレームの残り区間の間に前記リレーにデータを送信するステップを含む。
【図面の簡単な説明】
【００１６】
【図１】ｎｏｎ−ＭＢＳＦＮサブフレームの構造を示す図である。
【図２】ＭＢＳＦＮサブフレームの構造を示す図である。
【図３】本発明の実施形態に係るＭＢＳＦＮサブフレームにシグナリングされるリレー受信サブフレームの構造の一例を示す図である。
【図４】本発明の実施形態に係るリレーのデータ送受信装置を示す図である。
【図５】本発明の実施形態によって、リレー受信サブフレームをＭＢＳＦＮサブフレームにシグナリングするリレーのデータ送受信過程を示すフローチャートである。
【図６】本発明の実施形態に係るリレーを用いる無線通信システムの構成を示す図面である。
【図７】本発明の実施形態に係る基地局のデータ送受信装置を示す図である。
【発明を実施するための形態】
【００１７】
以下、本発明に係る実施形態を添付する図面を参照しながら詳細に説明する。しかし、本発明が実施形態によって制限され、または限定されることはない。各図面に提示された同一の参照符号は同一の部材を示す。また、本発明の要旨を不要に曖昧にすると判断される場合、その詳細な説明を省略する。
【００１８】
本発明の実施形態は、基地局からリレーにデータを送信する無線リンク区間において、リレーを考慮せずに設計された既存の端末に基地局が消えてしまう現象を解決するためのデータ送受信装置および方法に関する。
【００１９】
本発明の実施形態は、基地局からリレーにデータを送信する無線リンク区間に用いられるリレー受信サブフレーム（ｒｅｌａｙ−ｒｘ−ｓｕｂｆｒａｍｅ）をＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームにシグナリングする方法である。
【００２０】
３ＧＰＰ  ＬＴＥシステムは、ＭＢＭＳサービスを提供するためにＭＢＳＦＮサブフレームを用いてもよい。次の図１および図２に示すように、ＭＢＭＳサービスのためのＭＢＳＦＮサブフレームは、ｎｏｎ−ＭＢＳＦＮサブフレームと一部の構造が異なる。
【００２１】
図１は、ｎｏｎ−ＭＢＳＦＮサブフレームの構造を示す図である。図２は、ＭＢＳＦＮサブフレームの構造を示す図である。図１および図２は、セル固有のアンテナポート（ｃｅｌｌ−ｓｐｅｃｉｆｉｃ  ａｎｔｅｎｎａ  ｐｏｒｔ）が４個である場合のｎｏｎ−ＭＢＳＦＮサブフレームとＭＢＳＦＮサブフレームの構造の１つの実施形態である。
【００２２】
図１および図２において、色が塗られたリソース要素にセル固有のリファレンス信号（ｒｅｆｅｒｅｎｃｅ  ｓｉｇｎａｌ）が送信され、その上の数字はセル固有のアンテナポートナンバー（ｃｅｌｌ−ｓｐｅｃｉｆｉｃ  ａｎｔｅｎｎａ  ｐｏｒｔ  ｎｕｍｂｅｒ）を表す。
【００２３】
図１を参照すれば、ｎｏｎ−ＭＢＳＦＮサブフレームは、６個のＯＦＤＭシンボルにセル固有のリファレンス信号が存在する。一方、図２の例を参照すれば、ＭＢＳＦＮサブフレームでは前の２つのＯＦＤＭシンボルにセル固有のリファレンス信号が存在することがある。ＭＢＳＦＮサブフレームでセル固有のリファレンス信号が存在するＯＦＤＭシンボルの数は、セル固有のアンテナポートの数などによって異なり、最大２つである。前の２つのＯＦＤＭシンボルにセル固有のリファレンス信号が存在するＭＢＳＦＮサブフレームでは残りの区間にＭＢＭＳデータが送信される。
【００２４】
図３は、本発明の実施形態に係るＭＢＳＦＮサブフレームにシグナリングされるリレー受信サブフレームの構造の一例を示す図である。
【００２５】
図３を参照すれば、リレーは受信サブフレームで予め設定された区間の間にセル固有のリファレンス信号と制御信号をセル領域内の端末に送信する。また、リレーは、上の区間を除いた残り区間の間に基地局からデータ信号を受信する。すなわち、リレー受信サブフレームは、セル固有のリファレンス信号と制御信号を送信する区間と、基地局から基地局の信号を受信する区間とに構成される。本発明は、ここで、受信サブフレーム内にセル固有のリファレンス信号と制御信号を送信する予め設定された区間の大きさが０である場合、すなわち、受信サブフレームからセル固有のリファレンス信号と制御信号を全く送信しないものも含む。
【００２６】
図４は、本発明の実施形態に係るリレーのデータ送受信装置を示す図である。図４を参照すれば、リレーのデータ送受信装置は、サブフレーム設定部４１０、シグナリング部４２０、送受信部４３０、および送信電力設定部４４０を備える。
【００２７】
サブフレーム設定部４１０は、いずれのサブフレームを用いて基地局の信号を受信するかを設定する。すなわち、サブフレーム設定部４１０はリレー受信サブフレームを設定する。
【００２８】
サブフレーム設定部４１０は、基地局からリレー受信サブフレームとして用いるサブフレーム情報を受信し、基地局が決定したサブフレームをリレー受信サブフレームとして設定してもよい。すなわち、基地局がリレー受信サブフレームを設定する主体になり得る。
【００２９】
サブフレーム設定部４１０は、リレー受信サブフレームとして用いるサブフレームを決定し、リレー受信サブフレームとして用いるサブフレーム情報を基地局に送信してリレー受信サブフレームを設定してもよい。すなわち、リレーがリレー受信サブフレームを設定する主体になり得る。
【００３０】
サブフレーム設定部４１０は、基地局からリレー受信サブフレームのための候補サブフレーム情報、または、リレー受信サブフレームに選択されないことを希望する非候補サブフレーム情報を受信してもよい。サブフレーム設定部４１０は、候補サブフレーム情報または非候補サブフレーム情報を考慮してリレー受信サブフレームとして用いるサブフレームを決定し、リレー受信サブフレームとして用いるサブフレーム情報を基地局に送信してリレー受信サブフレームを設定する。すなわち、基地局とリレーとの間の協力によって受信サブフレームを設定してもよい。
【００３１】
サブフレーム設定部４１０は、基地局にリレー受信サブフレームのための候補サブフレーム情報、またはリレー受信サブフレームに選択されないことを希望する非候補サブフレーム情報を送信してもよい。サブフレーム設定部４１０は、基地局から候補サブフレーム情報または非候補サブフレーム情報を考慮して決定されたリレー受信サブフレーム情報を受信し、基地局が決定したサブフレームをリレー受信サブフレームとして設定してもよい。すなわち、基地局とリレーとの間の協力によって受信サブフレームを設定してもよい。
【００３２】
サービス地域に、図６に示すように、１つ以上の基地局と１つ以上のリレーが存在するとき、基地局からリレーに送信するリンク（ｅＮＢ−Ｒ）のために設定されたサブフレームの情報、または、リレーから基地局に送信するリンク（Ｒ−ｅＮＢ）のために設定されたサブフレームの情報を隣接基地局または隣接リレーに送信する。
【００３３】
図６は、本発明の実施形態に係るリレーを用いる無線通信システムの構成を示す図である。図６を参照すれば、第１基地局６１１または第１リレー６２１は、第１基地局６１１と第１リレー６２１との間のリンクのために設定されたサブフレームを隣接基地局６１２、６１３、６１４または隣接リレー６２２、６２３に知らせる。
【００３４】
隣接基地局または隣接リレーはこのような情報を獲得して基地局とリレーとの間のリンクのためのサブフレームの割当てに用いてもよい。図６の例において、第１基地局６１１または第１リレー６２１は、両方間のリンクのために用いられるサブフレームを第２リレー６２２、第３リレー６２３、または第４基地局６１４に知らせる。第２リレー６２２、第３リレー６２３、または第４基地局６１４は、バックホールリンクのために用いるサブフレームを決定するために上の情報を活用し得る。
【００３５】
サブフレーム設定部４１０は、隣接基地局と隣接リレーとの間のバックホールリンクのために用いられるサブフレームの情報を受信してもよい。
【００３６】
また、サブフレーム設定部４１０は、基地局とリレーとの間のバックホールリンクのために用いられるサブフレームの情報を隣接基地局または隣接リレーに知らせる。
【００３７】
また、サブフレーム設定部４１０は、基地局とリレーとの間のバックホールリンクのために用いられるサブフレームを設定するとき、隣接基地局と隣接リレーとの間のバックホールリンクのために用いられるサブフレームを優先的に設定することができる。
【００３８】
受信サブフレームを決定する他の方法として、サブフレーム設定部４１０は、予め設定されたサブフレームの優先順位に応じて優先順位の高いサブフレームの順に決定してもよい。
【００３９】
シグナリング部４２０は、リレー受信サブフレームを端末にシグナリングする。リレーを考慮せずに設計された端末はリレー受信サブフレームを区分することができない。
【００４０】
シグナリング部４２０は、設定されたリレー受信サブフレームをＭＢＳＦＮサブフレームにしてシグナリングしてもよい。このようなシグナリングは、全ての端末がパーフォームすることのできるブロードキャストチャネル（ｂｏａｄｃａｓｔｉｎｇ  ｃｈａｎｎｅｌ）を介して行なわれてもよい。
【００４１】
また、シグナリング部４２０は、該当のリレーのＭＢＳＦＮサブフレームだけではなく、隣接セルのＭＢＳＦＮサブフレームに関する情報を端末にシグナリングする。
【００４２】
また、シグナリング部４２０は、隣接セルのＭＢＳＦＮサブフレームに関する情報を端末にシグナリングするとき、隣接セルの識別情報を共にシグナリングしてもよい。
【００４３】
設定されたリレー受信サブフレームをブランクサブフレームにしてシグナリングしてもよいが、このとき、シグナリング部４２０は、該当のリレーのブランクサブフレームだけではなく、隣接セルのブランクサブフレームに関する情報を端末にシグナリングする。
【００４４】
また、シグナリング部４２０は、隣接セルのブランクサブフレームに関する情報を端末にシグナリングするとき、隣接セルの識別情報を共にシグナリングしてもよい。
【００４５】
送受信部４３０は、ＭＢＳＦＮサブフレームでシグナリングしたリレー受信サブフレームを受信してもよい。
【００４６】
送受信部４３０は、現在のサブフレームが図３に示すようなＭＢＳＦＮサブフレームにシグナリングしたリレー受信サブフレームである場合、送受信部４３０は、予め設定された区間の間にセル固有のリファレンス信号または制御信号を端末に送信する。また、送受信部４３０は、残り区間の間に基地局の送信信号を受信する。このとき、基地局は、リレーがセル固有リファレンス信号および制御信号を送信する区間にリレーに基地局の信号を送信しない。セル固有のリファレンス信号または制御信号を送信する予め設定された区間の大きさが０であるものも含む。
【００４７】
送受信部４３０は、現在のサブフレームがリレー受信サブフレームでなければ、リレーのセル領域の端末にリファレンス信号、制御信号、およびデータ信号を送信する。
【００４８】
送信電力設定部４４０は各チャネルの送信電力を設定してもよい。
【００４９】
以下、基地局からリレーにデータを送信する無線リンク区間でリレーを考慮せずに設計された既存の端末に基地局が消えてしまう現象を除去するためのデータ送受信方法を次の図面を参照して説明する。
【００５０】
図５は、本発明の実施形態によってリレー受信サブフレームをＭＢＳＦＮサブフレームにシグナリングするリレーのデータ送受信過程を示すフローチャートである。
【００５１】
図５を参照すれば、本発明の実施形態に係るリレーは、ステップ５１０において、基地局の信号を受信するリレー受信サブフレームを設定する。リレー受信サブフレームは、リレーに決定して設定してもよく、基地局に決定して設定してもよく、基地局とリレーとの間の協力によって設定してもよい。
【００５２】
リレー受信サブフレームを設定する方法は、予め設定されたサブフレームの優先順位に応じて優先順位の高い順に決定されてもよい。また、隣接セルに設定した受信サブフレームがリレー受信サブフレームに優先的に設定されるようにしてもよい。
【００５３】
また、リレーはステップ５１２において、設定したリレー受信サブフレームをＭＢＳＦＮサブフレームにしシグナリングする。このとき、シグナリングはブロードキャストチャネルを介して端末にシグナリングする。
【００５４】
また、リレーは、該当のリレーの受信サブフレームだけではなく、隣接セルの受信サブフレームに関する情報を隣接セルの識別情報と共に端末にシグナリングしてもよい。
【００５５】
また、リレーはステップ５１４において、現在のサブフレームがリレー受信サブフレームであるか否かを確認する。
【００５６】
ステップ５１４で確認した結果、現在のサブフレームがリレー受信サブフレームであれば、リレーはステップ５１６において既設定区間の間端末にセル固有のリファレンス信号および制御信号送信する。また、リレーはステップ５１８において、リレー受信サブフレームの残ったシンボル区間の間に基地局から基地局の信号を受信する。既設定区間は、例えば、２つのシンボル区間であってもよく、０個のシンボル区間であってもよい。すなわち、セル固有のリファレンス信号および制御信号を送信しないものも含む。
【００５７】
ステップ５１４で確認した結果、現在のサブフレームがリレー受信サブフレームでなければ、リレーは、ステップ５２０でセル領域内の端末にリファレンス信号、制御信号、およびデータ信号を送信する。
【００５８】
リレーがリレー受信サブフレームをＭＢＳＦＮサブフレームにしてシグナリングすると、端末は次のように反応する。端末は、リレー受信サブフレームをＭＢＳＦＮサブフレームとして認識する。リレーからＭＢＭＳサービスがあるというシグナリングを受信しなければ、端末はＭＢＳＦＮサブフレームの前の既設定区間を除いた残りの信号を無視する。また、端末は前の既設定区間内にあると予想されるセル固有のリファレンス信号を用いてチャネル推定および無線チャネルの品質を算出する。
【００５９】
一方、３ＧＰＰ  ＬＴＥシステムの端末は、周期的にまたは要求に応じて無線チャネルの品質（ＣＱＩ）を測定して基地局またはリレーに報告する。無線チャネルの品質（ＣＱＩ）測定は、有効サブフレーム（ｖａｌｉｄ  ｓｕｂｆｒａｍｅ）でのみ行われる。
【００６０】
セルがブランクサブフレームを用いる場合、リレーはブランクサブフレームにいずれの信号も送信しないか、または端末が解釈できないサブフレームフォーマットを用いてデータ送信をする。この場合、端末はブランクサブフレームで誤った無線チャネルの品質（ＣＱＩ）を測定することがある。
【００６１】
したがって、本発明の実施形態によって無線チャネルの品質（ＣＱＩ）を測定するための有効サブフレームの資格条件にブランクサブフレームは有効サブフレームになれないという条件を追加する。したがって、本発明の実施形態に係る有効サブフレームの条件は次に［表１］の通りである。
【表１】
0005710485.tif 000002
【００６２】
セルがブランクサブフレーム情報を端末にシグナリングする場合、境界にある端末のうちの相当数は隣接セルの情報を解釈することができる。したがって、端末は、隣接セルの情報を解釈して隣接セルのブランクサブフレームの位置を把握することができる。そして、端末は［表１］の条件にしたがって隣接セルのブランクサブフレームで隣接セルの無線チャネルの品質を測定しない。
【００６３】
セルが該当のセルのブランクサブフレームだけではなく、隣接セルのブランクサブフレームに関する情報を隣接セルの識別情報と共にセル領域の端末にシグナリングする場合、端末は、シグナリング情報を受信して隣接セルに対するブランクサブフレームを把握する。そして、端末は［表１］の条件にしたがって、隣接セルのブランクサブフレームに該当の隣接セルのための無線チャネル品質を測定しない。
【００６４】
図７は、本発明の実施形態に係る基地局のデータ送受信装置を示す図である。図７を参照すれば、基地局のデータ送受信装置は、サブフレーム設定部７１０、シグナリング部７２０、送受信部７３０、および送信電力設定部７４０を備える。
【００６５】
サブフレーム設定部７１０は、いずれのサブフレームを用いて基地局の信号をリレーに送信するかを設定する。すなわち、サブフレーム設定部７１０はリレー受信サブフレームを設定する。
【００６６】
サブフレーム設定部７１０は、リレーからリレー受信サブフレームに用いるサブフレーム情報を受信し、リレーが決定したサブフレームをリレー受信サブフレームとして設定してもよい。すなわち、リレーがリレー受信サブフレームを設定する主体になり得る。
【００６７】
サブフレーム設定部７１０は、リレー受信サブフレームとして用いるサブフレームを決定し、リレー受信サブフレームとして用いるサブフレーム情報をリレーに送信してリレー受信サブフレームを設定してもよい。すなわち、基地局がリレー受信サブフレームを設定する主体になり得る。
【００６８】
サブフレーム設定部７１０は、リレーからリレー受信サブフレームのための候補サブフレーム情報、またはリレー受信サブフレームに選択されないことを希望する非候補サブフレーム情報を受信してもよい。サブフレーム設定部７１０は、候補サブフレーム情報または非候補サブフレーム情報を考慮してリレー受信サブフレームとして用いるサブフレームを決定し、リレー受信サブフレームとして用いるサブフレーム情報をリレーに送信してリレー受信サブフレームを設定してもよい。すなわち、基地局とリレーとの間の協力によって受信サブフレームを設定してもよい。
【００６９】
サブフレーム設定部７１０は、リレーにリレー受信サブフレームのための候補サブフレーム情報、またはリレー受信サブフレームに選択されないことを希望する非候補サブフレーム情報を送信してもよい。サブフレーム設定部７１０は、リレーから候補サブフレーム情報または非候補サブフレーム情報を考慮して決定されたリレー受信サブフレーム情報を受信し、リレーが決定したサブフレームをリレー受信サブフレームとして設定してもよい。すなわち、基地局とリレーとの間の協力によって受信サブフレームを設定してもよい。
【００７０】
サブフレーム設定部７１０は、隣接基地局と隣接リレーとの間のバックホールリンクのために用いられるサブフレームの情報を受信してもよい。
【００７１】
また、サブフレーム設定部７１０は、基地局とリレーとの間のバックホールリンクのために用いられるサブフレームの情報を隣接基地局または隣接リレーに知らせる。
【００７２】
また、サブフレーム設定部７１０は、基地局とリレーとの間のバックホールリンクのために用いられるサブフレームを設定するとき、隣接基地局と隣接リレーとの間のバックホールリンクのために用いられるサブフレームを優先的に設定されるようにしてもよい。
【００７３】
受信サブフレームを決定する更なる方法として、サブフレーム設定部７１０は、予め設定されたサブフレームの優先順位に応じて優先順位の高いサブフレーム順に決定してもよい。
【００７４】
また、シグナリング部７２０は、隣接セルのＭＢＳＦＮサブフレームに関する情報を端末にシグナリングする。
【００７５】
また、シグナリング部７２０は、隣接セルのＭＢＳＦＮサブフレームに関する情報を端末にシグナリングするとき、隣接セルの識別情報を共にシグナリングしてもよい。
【００７６】
シグナリング部７２０は、隣接セルのブランクサブフレームに関する情報を端末にシグナリングする。
【００７７】
また、シグナリング部７２０は、隣接セルのブランクサブフレームに関する情報を端末にシグナリングするとき、隣接セルの識別情報を共にシグナリングしてもよい。
【００７８】
送受信部７３０は、現在のサブフレームがリレー受信サブフレームである場合、送受信部７３０は予め設定された区間の間のリレーに信号を送信しない。また、送受信部７３０は、残り区間の間の基地局の送信信号をリレーに送信する。予め設定された区間の大きさは０であってもよい。
【００７９】
送信電力設定部７４０は各チャネルの送信電力を設定してもよい。
【００８０】
また、本発明の実施形態は、多様なコンピュータ手段を介して様々な処理を実行することができるプログラム命令の形態に具現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピーディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェア階層で作動するように構成されてもよい。
【００８１】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００８２】
したがって、本発明の範囲は、開示された実施形態に限定されて定められるものではなく、特許請求の範囲だけではなく特許請求の範囲と均等なものなどによって定められるものである。
【図１】
0005710485.tif 000003
【図２】
0005710485.tif 000004
【図３】
0005710485.tif 000005
【図４】
0005710485.tif 000006
【図５】
0005710485.tif 000007
【図６】
0005710485.tif 000008
【図７】
0005710485.tif 000009